【手続補正書】
【提出日】平成19年1月29日(2007.1.29)
【手続補正１】
【補正対象書類名】明細書
【補正対象項目名】００２１
【補正方法】変更
【補正の内容】
【００２１】
次に、上記構成の本実施形態に係るＣＣＤ撮像装置を駆動する場合の一例について、図２の動作説明図を用いて説明する。なお、ここでは、理解を容易にするために、水平方向の画素数が８画素の場合を例に採って説明するものとする。また、画素配列において下から１行目の画素の信号電荷に１、２行目の信号電荷に２、３行目の信号電荷に３、…を付して示す。
【手続補正２】
【補正対象書類名】明細書
【補正対象項目名】００２２
【補正方法】変更
【補正の内容】
【００２２】
先ず、画素（センサ部１２）の各々に蓄えられている信号電荷が全て、垂直ＣＣＤ１３に読み出された状態から（図２（Ａ））、垂直ＣＣＤ１３において、各信号電荷を１ライン分（１行分）だけ垂直転送するラインシフトを行う。このとき、ＶＨ転送部１５では引き続き、所定段数分の転送動作を行う。これにより、撮像領域Ａの１行目の信号電荷１が水平ＣＣＤ１４Ａに転送され、撮像領域Ｂの１行目の信号電荷１′がＶＨ転送部１５を介して水平ＣＣＤ１４Ｂの後半部分に転送される（図２（Ｂ））。
【手続補正３】
【補正対象書類名】明細書
【補正対象項目名】００２３
【補正方法】変更
【補正の内容】
【００２３】
次に、図２（Ｂ）の状態から、水平ＣＣＤ１４Ａ，１４Ｂに対して同じ水平駆動パルスφＨ１，φＨ２を与えることで、これら水平ＣＣＤ１４Ａ，１４Ｂを同方向に水平ＣＣＤ１４Ａの転送段数分だけ転送駆動を行う。これにより、撮像領域Ａの１行目の信号電荷１については、出力部１６Ａで信号電圧ｏｕｔＡに変換されて出力され、撮像領域Ｂの１行目の信号電荷１′については、水平ＣＣＤ１４Ｂの後半部分から前半部分に転送され、ここに蓄積される（図２（Ｃ））。
【手続補正４】
【補正対象書類名】明細書
【補正対象項目名】００２４
【補正方法】変更
【補正の内容】
【００２４】
次に、図２（Ｃ）の状態から、垂直ＣＣＤ１３で再度ラインシフトを行う。このとき、ＶＨ転送部１５では引き続き転送動作を行う。これにより、撮像領域Ａの２行目の信号電荷２が水平ＣＣＤ１４Ａに転送され、撮像領域Ｂの２行目の信号電荷２′がＶＨ転送部１５を介して水平ＣＣＤ１４Ｂの後半部分に転送される。その結果、水平ＣＣＤ１４Ｂでは、前半部分に撮像領域Ｂの１行目の信号電荷１′が、後半部分に撮像領域Ｂの２行目の信号電荷２′がそれぞれ蓄積される（図２（Ｄ））。
【手続補正５】
【補正対象書類名】明細書
【補正対象項目名】００２５
【補正方法】変更
【補正の内容】
【００２５】
その後、水平ＣＣＤ１４Ａ，１４Ｂを同方向に水平ＣＣＤ１４Ａの転送段数分だけ転送駆動を行うことにより、撮像領域Ａの２行目の信号電荷２については、出力部１６Ａで信号電圧ｏｕｔＡに変換されて出力され、撮像領域Ｂの１行目の信号電荷１′については、出力部１６Ｂで信号電圧ｏｕｔＢに変換されて出力される。この時点で、撮像部１１の１行目の信号電荷１及び１′に基づく信号出力が全て導出されたことになる。以降、同様の動作を繰り返して実行する。
【手続補正６】
【補正対象書類名】明細書
【補正対象項目名】００３２
【補正方法】変更
【補正の内容】
【００３２】
続いて、本実施形態に係るＣＣＤ撮像装置を駆動する場合の他の例について、図３の動作説明図を用いて説明する。ここでも、理解を容易にするために、水平方向の画素数が８画素の場合を例に採って説明するものとし、また画素配列において下から１行目の画素の信号電荷に１、２行目の信号電荷に２、３行目の信号電荷に３、…を付して示す。
【手続補正７】
【補正対象書類名】明細書
【補正対象項目名】００３４
【補正方法】変更
【補正の内容】
【００３４】
先ず、画素の各々に蓄えられている信号電荷が全て、垂直ＣＣＤ１３に読み出された状態から（図３（Ａ））、先ず、垂直駆動パルスφＶ１Ｂ〜φＶ４Ｂを与えることで、撮像領域Ｂ側の垂直ＣＣＤ１３においてラインシフトを行う。このとき、撮像領域Ｂ部およびＶＨ転送部１５では引き続き転送動作を行う。これにより、撮像領域Ｂの１行目の信号電荷１′がＶＨ転送部１５を介して水平ＣＣＤ１４Ｂの後半部分に転送される（図３（Ｂ））。
【手続補正８】
【補正対象書類名】明細書
【補正対象項目名】００３５
【補正方法】変更
【補正の内容】
【００３５】
次に、図３（Ｂ）の状態から、水平ＣＣＤ１４Ａ，１４Ｂに対して同じ水平駆動パルスφＨ１，φＨ２を与えることで、これら水平ＣＣＤ１４Ａ，１４Ｂを同方向に水平ＣＣＤ１４Ａの転送段数分だけ転送駆動を行う。これにより、撮像領域Ｂの１行目の信号電荷１′が、水平ＣＣＤ１４Ｂの前半部分に転送され、ここに蓄積される（図３（Ｃ））。このとき、水平ＣＣＤ１４Ａにはまだ信号電荷が存在しないことから、水平ＣＣＤ１４Ａでは空転送が行われる。
【手続補正９】
【補正対象書類名】明細書
【補正対象項目名】００３６
【補正方法】変更
【補正の内容】
【００３６】
次に、図３（Ｃ）の状態から、垂直駆動パルスφＶ１Ａ〜φＶ４Ａ，垂直駆動パルスφＶ１Ｂ〜φＶ４Ｂを与えることで、撮像領域Ａおよび撮像領域Ｂの双方においてラインシフトを行う。このとき、撮像領域Ｂ部およびＶＨ転送部１５では引き続き転送動作を行う。これにより、撮像領域Ａの１行目の信号電荷１が水平ＣＣＤ１４Ａに転送され、撮像領域Ｂの２行目の信号電荷２′がＶＨ転送部１５を介して水平ＣＣＤ１４Ｂの後半部分に転送される（図３（Ｄ））。
【手続補正１０】
【補正対象書類名】明細書
【補正対象項目名】００３７
【補正方法】変更
【補正の内容】
【００３７】
次に、図３（Ｄ）の状態から、水平ＣＣＤ１４Ａ，１４Ｂを同方向に水平ＣＣＤ１４Ａの転送段数分だけ転送駆動を行うことで、撮像領域Ａの１行目の信号電荷１については、出力部１６Ａで信号電圧ｏｕｔＡに変換されて出力され、撮像領域Ｂの１行目の信号電荷１′については、出力部１６Ｂで信号電圧ｏｕｔＢに変換されて出力される。このとき、撮像領域Ｂの２行目の信号電荷２′については、水平ＣＣＤ１４Ｂの後半部分から前半部分に転送され、ここに蓄積される（図３（Ｅ））。
【手続補正１１】
【補正対象書類名】明細書
【補正対象項目名】００３８
【補正方法】変更
【補正の内容】
【００３８】
次に、図３（Ｅ）の状態から、垂直駆動パルスφＶ１Ａ〜φＶ４Ａ，垂直駆動パルスφＶ１Ｂ〜φＶ４Ｂを与えることで、撮像領域Ａおよび撮像領域Ｂの双方においてラインシフトを行う。このとき、撮像領域Ｂ部およびＶＨ転送部１５では引き続き転送動作を行う。これにより、撮像領域Ａの２行目の信号電荷２が水平ＣＣＤ１４Ａに転送され、撮像領域Ｂの３行目の信号電荷３′がＶＨ転送部１５を介して水平ＣＣＤ１４Ｂの後半部分に転送される（図３（Ｆ））。
【手続補正１２】
【補正対象書類名】明細書
【補正対象項目名】００３９
【補正方法】変更
【補正の内容】
【００３９】
そして、図３（Ｆ）の状態から、水平ＣＣＤ１４Ａ，１４Ｂを同方向に水平ＣＣＤ１４Ａの転送段数分だけ転送駆動を行うことで、撮像領域Ａの２行目の信号電荷２については、出力部１６Ａで信号電圧ｏｕｔＡに変換されて出力され、撮像領域Ｂの２行目の信号電荷２′については、出力部１６Ｂで信号電圧ｏｕｔＢに変換されて出力される。以降、同様の動作を繰り返して実行する。
【手続補正１３】
【補正対象書類名】明細書
【補正対象項目名】００４１
【補正方法】変更
【補正の内容】
【００４１】
なお、本動作例が適用されるＣＣＤ撮像装置において、水平ＣＣＤ１４Ｂのチャネル長を水平ＣＣＤ１４Ａのほぼ２倍の長さに設定するのではなく、水平ＣＣＤ１４Ａ，１４Ｂの各チャネル長をほぼ等しく設定した構成と採ることもできる。
【手続補正１４】
【補正対象書類名】明細書
【補正対象項目名】００４３
【補正方法】変更
【補正の内容】
【００４３】
また、撮像領域Ｂと水平ＣＣＤ１４Ｂの後半部分との間にはＶＨ転送部１５-1が、撮像領域Ｃと水平ＣＣＤ１４Ｃの後ろ１／３の部分との間にはＶＨ転送部１５-2がそれぞれ配される。このとき、ＶＨ転送部１５-1の転送段数は水平ＣＣＤ１４Ａのチャネル幅に応じて、ＶＨ転送部１５-2の転送段数は水平ＣＣＤ１４Ａ，１４Ｂの各チャネル幅に応じてそれぞれ設定される。
【手続補正１５】
【補正対象書類名】明細書
【補正対象項目名】００４５
【補正方法】変更
【補正の内容】
【００４５】
また、３分割の場合のように、領域分割数を奇数個に選定した場合には、中心の撮像領域およびその両側の複数の撮像領域のうち中心の領域についてのみ信号電荷を読み出し、残りの領域については信号電荷を読み出さないように駆動することで、光学中心を変えることなく、水平方向において画素情報を間引く、いわゆる水平方向の間引き駆動の実現も可能である。
【手続補正１６】
【補正対象書類名】明細書
【補正対象項目名】００４８
【補正方法】変更
【補正の内容】
【００４８】
また、撮像領域Ｂと水平ＣＣＤ１４Ｂの後半部分との間にはＶＨ転送部１５-1が、撮像領域Ｃと水平ＣＣＤ１４Ｃの後ろ１／３の部分との間にはＶＨ転送部１５-2が、撮像領域Ｅと水平ＣＣＤ１４Ｅの後半部分との間にはＶＨ転送部１５-3が、撮像領域Ｆと水平ＣＣＤ１４Ｆの後ろ１／３の部分との間にはＶＨ転送部１５-4がそれぞれ配される。このとき、ＶＨ転送部１５-1，１５-3の各転送段数は水平ＣＣＤ１４Ａ，１４Ｄの各チャネル幅に応じて、ＶＨ転送部１５-2の転送段数は水平ＣＣＤ１４Ａ，１４Ｂの各チャネル幅に応じて、ＶＨ転送部１５-4の転送段数は水平ＣＣＤ１４Ｄ，１４Ｅの各チャネル幅に応じてそれぞれ設定される。
【手続補正１７】
【補正対象書類名】明細書
【補正対象項目名】００５５
【補正方法】変更
【補正の内容】
【００５５】
【発明の効果】
以上説明したように、本発明によれば、撮像部が少なくとも水平方向において複数の領域に分割されてなる固体撮像装置において、複数の電荷転送部を複数の領域に１対１の関係で対応付けて各領域の信号電荷の転送を受け持たせるとともに、複数の電荷転送部の各々を同方向に転送駆動するようにしたことにより、分割された複数の領域の信号電荷に基づく出力信号がミラー反転することなく、同方向で導出されるため、後段の信号処理系の構成を簡単にできることになる。